(57)【要約】【課題】着用者の臀部に対するフィット性に優れた吸収性物品を提供すること。【解決手段】吸収性コア２４は、吸収性物品１の縦方向Ｘの中央よりも縦方向Ｘの後側の領域において、前側から後側に向かうに従って横方向Ｙの長さ即ち幅が漸次増加する後方第１領域２４３を有すると共に、該後方第１領域２４３の縦方向Ｘの後端に連接され、該後方第１領域２４３に比して縦方向Ｘにおける幅の変化が少ない後方第２領域２４４を有する。吸収性コア２４に、該吸収性コア２４の形成材料が存在していないか又は周辺部に比して該形成材料が少ない非又は低堆積部４０を有する、低目付領域４が複数形成され、それら複数の低目付領域４は、それぞれ平面視において、吸収性コア２４の横方向Ｙの中央部から横方向Ｙの両外方且つ縦方向Ｘの前方に向かって斜めに延びる部分を有している。後方第１領域２４３に複数の低目付領域４の少なくとも一部が存在している。【選択図】図２
2018082852.tif 000002
【特許請求の範囲】
【請求項１】
着用者の前後方向に対応する縦方向及びこれに直交する横方向を有すると共に、着用者の股間部に配される股下部並びに該股下部の前後から縦方向に延出する腹側部及び背側部を有し、液保持性を有する吸収性コアが該股下部に配されている吸収性物品であって、
前記吸収性コアは、前記吸収性物品の縦方向中央よりも縦方向後側の領域において、縦方向前側から後側に向かうに従って横方向長さが漸次増加する後方第１領域を有すると共に、該後方第１領域の縦方向後端に連接され、該後方第１領域に比して縦方向における横方向長さの変化が少ない後方第２領域を有し、
前記吸収性コアに、該吸収性コアの形成材料が存在していないか又は周辺部に比して該形成材料が少ない非又は低堆積部を有する、低目付領域が複数形成され、それら複数の低目付領域は、それぞれ平面視において、該吸収性コアの横方向中央部から横方向の両外方且つ縦方向前方に向かって斜めに延びる部分を有し、
前記後方第１領域に複数の前記低目付領域の少なくとも一部が存在している吸収性物品。
【請求項２】
前記後方第２領域に前記低目付領域が存在している請求項１に記載の吸収性物品。
【請求項３】
複数の前記低目付領域のうちの少なくとも１個は、前記非又は低堆積部が、前記吸収性コアを横方向に二分して縦方向に延びる横中心線を跨いで横方向に延びている請求項１又は２に記載の吸収性物品。
【請求項４】
複数の前記低目付領域のうちの少なくとも１個は、１個の前記非又は低堆積部が該低目付領域の横方向一端から他端にわたって連続している請求項１〜３の何れか１項に記載の吸収性物品。
【請求項５】
前記非又は低堆積部は、前記吸収性コアを厚み方向に貫通する貫通孔である請求項１〜４の何れか１項に記載の吸収性物品。
【請求項６】
前記低目付領域の横方向両端部は、それぞれ平面視において先細り形状をなしている請求項１〜５の何れか１項に記載の吸収性物品。
【請求項７】
前記低目付領域の横方向両端は、前記吸収性コアにおいて横方向長さが最も短い最幅狭部の横方向両端よりも横方向外方に位置している請求項１〜６の何れか１項に記載の吸収性物品。
【請求項８】
前記吸収性コアは、平面視において、横方向長さが最も短い最幅狭部と、該最幅狭の縦方向前端に連接され、該最幅狭部よりも横方向長さが長いコア前方部とを有し、縦方向の前側から、前記コア前方部、前記最幅狭部、前記後方第１領域、前記後方第２領域の順で縦方向に配されている請求項１〜６の何れか１項に記載の吸収性物品。
【請求項９】
前記最幅狭部は、前記吸収性物品の縦方向中央に位置して縦方向に所定の長さを有する領域であり、該最幅狭部の縦方向に沿う両側縁は、それぞれ縦方向に平行である請求項８に記載の吸収性物品。
【請求項１０】
前記低目付領域の横方向両端は、前記最幅狭部の縦方向に沿う側縁よりも横方向外方に位置している請求項９に記載の吸収性物品。
【発明の詳細な説明】
【技術分野】
【０００１】
本発明は、使い捨ておむつ等の吸収性物品に関する。
【背景技術】
【０００２】
吸収性物品には、快適な装着感を提供し、且つ尿等の排泄物の漏れを抑制するため、着用者の身体形状に沿うように変形し、着用者の肌にフィット性良く密着することが望まれている。斯かる要望に応え得る技術として、吸収性物品の構成部材の中でも特に剛性の高い吸収体に、スリットや開口を形成する技術が知られている。
【０００３】
例えば特許文献１には、着用者の臀部に対応する部分である吸収体の後方部に、横方向に延びる細長い孔を縦方向に複数間欠配置することが記載されている。この細長い孔は、吸収体の後方部の横方向中央部に位置し、吸収体の縦方向後端に向かって凸に湾曲した平面視形状をなしている。特許文献１によれば、このような細長い孔が複数形成された吸収体の後方部は、吸収性物品の着用中に、その横方向中央部が着用者の肌に向かって隆起してＶ字型に変形し得るとされている。尚、縦方向は、着用者の前後方向に対応する方向であり、横方向は、該縦方向に直交する方向である。
【０００４】
また特許文献２には、吸収体の後方部に、横方向へ長手方向を有するように延びる複数本のスリットを形成することが記載されている。この特許文献２記載のスリットは、平面視において、前述した特許文献１記載の細長い孔とは逆に、吸収体の縦方向前端に向かって凸に湾曲した形状をなしている。また特許文献３には、吸収体の中央部に、周辺部よりも肉厚で着用者の肌側に隆起した隆起部を設けると共に、該隆起部を取り囲む平面視環状又は弧状の凹型区域を設けることが記載されている。この特許文献３記載の凹型区域は、吸収体の形成材料が周辺部に比して少ない部位である。
【先行技術文献】
【特許文献】
【０００５】
【特許文献１】特表２００８−５２９７２１号公報
【特許文献２】特開２０１５−２３９９９号公報
【特許文献３】特表２００３−５２８６５４号公報
【発明の概要】
【発明が解決しようとする課題】
【０００６】
吸収性物品において、着用者の排泄部から臀部にわたる部位に対応する部分は、着用者の大腿部による横方向からの圧縮、臀部の比較的激しい動きなどにより、着用中における変形の程度が他の部分に比して大きく、そのため吸収体に意図しない皺が発生し、フィット性の低下を招いていた。
【０００７】
従って本発明の課題は、着用者の臀部に対するフィット性に優れた吸収性物品を提供することに関する。
【課題を解決するための手段】
【０００８】
本発明は、着用者の前後方向に対応する縦方向及びこれに直交する横方向を有すると共に、着用者の股間部に配される股下部並びに該股下部の前後から縦方向に延出する腹側部及び背側部を有し、液保持性を有する吸収性コアが該股下部に配されている吸収性物品であって、前記吸収性コアは、前記吸収性物品の縦方向中央よりも縦方向後側の領域において、縦方向前側から後側に向かうに従って横方向長さが漸次増加する後方第１領域を有すると共に、該後方第１領域の縦方向後端に連接され、該後方第１領域に比して縦方向における横方向長さの変化が少ない後方第２領域を有し、前記吸収性コアに、該吸収性コアの形成材料が存在していないか又は周辺部に比して該形成材料が少ない非又は低堆積部を有する、低目付領域が複数形成され、それら複数の低目付領域は、それぞれ平面視において、該吸収性コアの横方向中央部から横方向の両外方且つ縦方向前方に向かって斜めに延びる部分を有し、前記後方第１領域に複数の前記低目付領域の少なくとも一部が存在している吸収性物品を提供するものである。
【発明の効果】
【０００９】
本発明によれば、着用者の臀部に対するフィット性に優れた吸収性物品が提供される。
【図面の簡単な説明】
【００１０】
【図１】図１は、本発明の吸収性物品の一実施形態であるパンツ型使い捨ておむつの一例を模式的に示す斜視図である。
【図２】図２は、図１に示すおむつの展開且つ伸長状態における肌対向面側を模式的に示す展開平面図である。
【図３】図３は、図２のＩ−Ｉ線断面を模式的に示す横断面図である。
【図４】図４は、図１に示すおむつを分解して模式的に示す分解斜視図である。
【図５】図５は、図１に示すおむつが具備する吸収性コアの肌対向面側を模式的に示す平面図である。
【図６】図６は、図１に示すおむつの着用中における、吸収性コアの後方第１領域及び後方第２領域の変形状態を模式的に示す斜視図である。
【図７】図７（ａ）は、本発明に係る吸収性コアの他の実施形態の肌対向面側を模式的に示す平面図、図７（ｂ）は、図７（ａ）のＩＩ−ＩＩ線断面を模式的に示す縦断面図である。
【図８】図８（ａ）〜図８（ｆ）は、それぞれ、本発明に係る吸収性コアのさらに他の実施形態の縦方向後方側の肌対向面側を模式的に示す平面図である。
【発明を実施するための形態】
【００１１】
以下本発明を、その好ましい実施形態に基づき図面を参照しながら説明する。図１〜図４には、本発明の吸収性物品の一実施形態であるパンツ型使い捨ておむつの一例であるおむつ１の基本構成が示されている。おむつ１は、着用者の前後方向に相当する縦方向Ｘとこれに直交する横方向Ｙとを有すると共に、股下部Ｂ並びに該股下部Ｂの前後から縦方向Ｘに延出する腹側部Ａ及び背側部Ｃを有し、液保持性を有する吸収体２３（吸収性コア２４）を股下部Ｂに具備する。股下部Ｂは、おむつ１の着用状態において着用者の股間部に配される部位であり、腹側部Ａは、おむつ１の着用状態において股下部Ｂよりも着用者の腹側即ち縦方向Ｘの前側に配される部位であり、背側部Ｃは、おむつ１の着用状態において股下部Ｂよりも着用者の背側即ち縦方向Ｘの後側に配される部位である。
【００１２】
おむつ１は、吸収体２３を具備する吸収性本体２と、該吸収性本体２よりも着用者の身体から遠い側に配された外装体３とを備え、腹側部Ａ及び背側部Ｃそれぞれにおける外装体３の縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１３】
おむつ１は、図２に示すように、おむつ１を縦方向Ｘに二分して横方向Ｙに延びる縦中心線ＣＬｘを基準として、着用状態において着用者の身体の前側（腹側）を覆う前身頃Ｆと、着用状態において着用者の身体の後側（背側）を覆う後身頃Ｒとに区分される。腹側部Ａは前身頃Ｆの一部であり、背側部Ｃは後身頃Ｒの一部であり、股下部Ｂは前身頃Ｆと後身頃Ｒとに跨って存している。腹側部Ａ及び背側部Ｃは、何れも縦方向Ｘにおいてサイドシール部Ｓと同位置にある部分であり、おむつ１の着用状態において着用者のウエスト部を含む胴周りに配される。股下部Ｂは、外装体３の縦方向Ｘに沿う両側縁部にレッグ開口部ＬＨ，ＬＨ形成用の凹欠部が形成されている領域である。
【００１４】
吸収性本体２は、図２に示す如きおむつ１の展開且つ伸長状態において、平面視長方形形状をなし、腹側部Ａから背側部Ｃにわたって縦方向Ｘに延在しており、その長手方向を展開且つ伸長状態におけるおむつ１の縦方向Ｘに一致させて、外装体３の横方向Ｙの中央部に配置され、接着剤により外装体３に接合されている。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１５】
吸収性本体２は、図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、液保持性の吸収性コア２４と、該吸収性コア２４の外面（肌対向面及び非肌対向面の両面）を被覆するコアラップシート２５とを含んで構成されている。吸収性コア２４とコアラップシート２５との間は、ホットメルト型接着剤等の公知の接合手段により接合されている。
【００１６】
本明細書において、「肌対向面」は、吸収性物品又はその構成部材（例えば吸収性コア）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置、即ち当該吸収性物品の正しい着用位置が維持された状態を意味し、吸収性物品が該着用位置からずれた状態にある場合は含まない。
【００１７】
吸収性コア２４は、図５に示す如き平面視において砂時計状、即ち、横方向Ｙの長さが最も短い最幅狭部２４０の縦方向Ｘの前端に最幅狭部２４０よりも横方向Ｙの長さが長いコア前方部２４１が連接されていると共に、最幅狭部２４０の縦方向Ｘの後端に最幅狭部２４０よりも横方向Ｙの長さが長いコア後方部２４２が連接されている形状をなしている。図２に示すように、吸収性コア２４の最幅狭部２４０は股下部Ｂに位置している。コア前方部２４１とコア後方部２４２とは、縦方向Ｘの長さが同じではなく、コア後方部２４２の方が長い。
【００１８】
おむつ１においては、図１及び図２に示すように、吸収性コア２４の縦方向両端即ち縦方向Ｘの前端２４ａ及び後端２４ｂはそれぞれ、サイドシール部Ｓの下端Ｓｂと縦方向Ｘにおいて同位置か、又は該下端Ｓｂよりも下方即ち縦方向Ｘの内方即ち縦中心線ＣＬｘ寄りに位置している。換言すれば、おむつ１における吸収性コア２４は、図２に示す如きおむつ１の展開且つ伸長状態の平面視において、外装体３における腹側部Ａの側縁部ＡＳと背側部Ｃの側縁部ＣＳとに挟まれた領域である、股下部Ｂのみに配されていて、股下部Ｂの縦方向Ｘの前後に位置する腹側部Ａ及び背側部Ｃには配されていない。吸収性コア２４の縦方向Ｘの全長は、股下部Ｂの縦方向Ｘの全長に比して短くなされている。
【００１９】
この種の吸収性物品においては通常、吸収性コアは腹側部Ａから股下部Ｂを介して背側部Ｃにわたって延在しているから、おむつ１が有する、吸収性コア２４が股下部Ｂ内に収まっているという構成は、従来品には無い特徴的な構成であると言える。おむつ１においては、縦方向長さが比較的短い吸収性コア２４の採用と共に、腹側部Ａ及び背側部Ｃそれぞれの縦方向Ｘの長さが従来品よりも短くなされており、その結果、図２に示す如き展開且つ伸長状態の平面視において、おむつ１の縦方向Ｘの全長は従来品よりも短くなされている。このような構成のおむつ１を着用し、さらにその上からズボン等の衣類を着用した場合には通常、おむつ１のウエスト部は衣類のウエスト部よりも低い位置にあるので、衣類のウエスト部からおむつ１のウエスト部がはみ出し難く、そのため、おむつを着用していることが他人に知られにくいという効果が奏される。斯かる効果を奏するおむつ１は、大人用あるいは介護用使い捨ておむつとして特に有用である。
【００２０】
吸収性コア２４の外面を被覆するコアラップシート２５は、図２に示すように、吸収性コア２４よりも縦方向Ｘの長さが長く、吸収性コア２４の縦方向Ｘの前後端２４ａ，２４ｂそれぞれから縦方向Ｘの外方に延出し、股下部Ｂのみならず、腹側部Ａ及び背側部Ｃにも配されている。コアラップシート２５は、吸収性コア２４の外面全体を被覆し得る大きさを有する１枚の連続したシートであっても良く、あるいは、吸収性コア２４の肌対向面を被覆する１枚の肌側コアラップシートと、非肌対向面を被覆する１枚の非肌側コアラップシートとから構成されていても良い。
【００２１】
表面シート２１及び裏面シート２２もコアラップシート２５と同様に、吸収性コア２４よりも縦方向Ｘの長さが長く、吸収性コア２４の縦方向Ｘの前後端２４ａ，２４ｂそれぞれから縦方向Ｘの外方に延出し、その延出部が腹側部Ａ及び背側部Ｃに配されている。本実施形態において、表面シート２１及び裏面シート２２の縦方向Ｘの前後端の位置と、コアラップシート２５の縦方向Ｘの前後端の位置とは同じになっている。
【００２２】
表面シート２１、裏面シート２２並びに吸収体２３を構成する吸収性コア２４及びコアラップシート２５としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収性コア２４は、吸収性材料を含むコア形成材料の堆積物である。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア２４は、親水性繊維の積繊体、あるいは該積繊体に吸水性ポリマー粒子を担持させたものであり得る。コアラップシート２５としては、紙、不織布等の液透過性シートを用いることができる。
【００２３】
図２及び図３に示すように、吸収性本体２の肌対向面における縦方向Ｘに沿う左右両側部には、液抵抗性又は撥水性で且つ通気性のシート材から構成された一対の防漏カフ２６，２６が設けられている。各防漏カフ２６の自由端部の近傍には糸状の防漏カフ形成用弾性部材２７が１本以上伸長状態で配されている。防漏カフ２６は、伸長状態で配された弾性部材２７がおむつ１の着用時に収縮することによって少なくとも股下部Ｂで起立し、それによって尿等の排泄液の横方向Ｙの外方への流出を阻止する。
【００２４】
外装体３は、図２に示す如き展開且つ伸長状態のおむつ１の外形を形作っており、外装体３の周縁は、その状態のおむつ１の輪郭線、即ち腹側部Ａ、股下部Ｂ及び背側部Ｃそれぞれの輪郭線を形成している。外装体３は、図２に示すように、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装体３の縦方向Ｘに沿う両側縁部即ち一対のレッグ縁部ＬＳ，ＬＳが横方向Ｙの中央に向かって凸の円弧状に湾曲しており、図２に示す如き平面視において、縦方向Ｘの中央域が横方向Ｙの内方に向けて括れた砂時計状をなしている。
【００２５】
外装体３は、図３及び図４に示すように、着用状態においておむつ１の外面即ち非肌対向面を形成する外層シート３１と、外層シート３１の肌対向面３１ａに対向配置された内層シート３２との積層体を含んで構成されている。おむつ１の着用状態において、外層シート３１は着用者の身体から遠い側に位置して、おむつ１の非肌対向面（外面）を形成し、内層シート３２は着用者の身体に近い側に位置して、おむつ１の肌対向面（内面）を形成する。外層シート３１と内層シート３２とは、所定の部位において接着剤等の接合手段を介して互いに接合されている。外層シート３１は、図４に示すように腹側部Ａ及び背側部Ｃに、内層シート３２の縦方向Ｘの端縁から延出する部分３１Ｅを有し、その延出部３１Ｅは、図２に示すように、内層シート３２の肌対向面側に折り返され、吸収性本体２の縦方向Ｘの端部を被覆している。尚、図４においては、吸収性本体２の構成要素である吸収性コア２４や低目付領域４などを破線で示すなどして図示していないが、吸収性本体２は図２と同様の構成を有している。
【００２６】
本実施形態においては、図４に示すように、内層シート３２は１枚の連続したシートから構成されているのに対し、外層シート３１は複数枚のシートが組み合わされて構成されており、具体的には、腹側部Ａを構成する腹側外層シート３１Ａと、背側部Ｃを構成する背側外層シート３１Ｃと、両シート３１Ａ，３１Ｃ間に位置して股下部Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２７】
外装体３を構成するシート３１（３１Ａ，３１Ｂ，３１Ｃ），３２は、互いに同種のシートでも良く、あるいは異種のシートでも良く、後者の例として、伸縮性が互いに異なる形態が挙げられる。具体的には例えば、腹側外層シート３１Ａ及び背側外層シート３１Ｃとしては、横方向Ｙに伸縮性を有する伸縮性シートを用い、外層シート３１の残りの部分即ち股下外層シート３１Ｂ及び内層シート３２は、伸縮性を有していない非伸縮性シートを用いることができる。外装体３として使用可能な伸縮性シートとしては、例えば、弾性繊維層の両面又は片面に伸長可能な繊維層が一体化されている伸縮性シートが挙げられ、弾性繊維層と伸長可能な繊維層との一体化の方法としては、例えば、両者を積層して水流交絡する方法、エアスルー等により繊維を交絡させる方法、ヒートエンボス、接着剤、超音波等によって接合させる方法が挙げられる。また、外装体３として使用可能な非伸縮性シートとしては、例えば、各種製法による不織布が挙げられ、具体的にはスパンボンド不織布、エアスルー不織布、ニードルパンチ不織布を例示できる。
【００２８】
外装体３は、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部及びその近傍には、１本又は複数本（本実施形態では複数本）のウエストギャザー形成用のウエスト弾性部材３３が横方向Ｙの全長にわたって伸長状態で配されており、これによって該開口縁部及びその近傍には、その全周にわたって実質的に連続した環状のウエストギャザーが形成されている。
さらに外装体３は、一対のレッグ開口部ＬＨ，ＬＨそれぞれの開口縁部にレッグギャザーを形成するレッグ弾性部材として、後身頃Ｒに伸長状態で配された１本又は複数本（本実施形態では複数本）の後側レッグ弾性部材３４を備えている。尚、おむつ１においては、前身頃Ｆにはレッグ弾性部材は配されていないが、前身頃Ｆに前側レッグ弾性部材が配されていても良く、その前側レッグ弾性部材は、後側レッグ弾性部材３４と同様の配置形態とすることができる。
ウエスト弾性部材３３及び後側レッグ弾性部材３４は、それぞれ糸状又は帯状であり、外装体３を構成する外層シート３１と内層シート３２との間に接着剤により挟持固定されている。
【００２９】
以下、おむつ１の主たる特徴の１つである吸収性コア２４について詳述する。吸収性コア２４は、図５に示すように、おむつ１の縦方向中央即ち縦中心線ＣＬｘよりも縦方向Ｘの後側の領域において、縦方向Ｘの前側から後側に向かうに従って横方向Ｙの長さ（即ち幅）が漸次増加する後方第１領域２４３を有している。また吸収性コア２４は、後方第１領域２４３の縦方向Ｘの後端に連接された後方第２領域２４４を有している。前述した通り、吸収性コア２４は縦方向Ｘの前側から順に、コア前方部２４１、最幅狭部２４０、コア後方部２４２を有しているところ、コア後方部２４２は、後方第１領域２４３及び後方第２領域２４４を含んで構成されている。即ち、吸収性コア２４の各部は、縦方向Ｘの前側から、コア前方部２４１、最幅狭部２４０、後方第１領域２４３、後方第２領域２４４の順で縦方向Ｘに配されている。吸収性コア２４の外形形状（輪郭線）は、吸収性コア２４を横方向Ｙに二分して縦方向Ｘに延びる横中心線ＣＬｙを基準として、一方側と他方側とで対称に形成されている。
【００３０】
最幅狭部２４０は、図５に示すように、縦方向Ｘに所定の長さを有する領域であり、横方向Ｙの長さが一定の領域である。即ち、最幅狭部２４０の縦方向Ｘに沿う側縁２４０Ｌ，２４０Ｌは、それぞれ、縦方向Ｘに平行である。最幅狭部２４０は、おむつ１の縦方向中央即ち縦中心線ＣＬｘに位置している。
【００３１】
後方第１領域２４３は、吸収性コア２４において、着用者の排泄部（ペニス等）から臀部にかけての部位に対応し得る位置に配されている。後方第１領域２４３の縦方向Ｘの前端（最幅狭部２４０と後方第１領域２４３との境界）は、着用者の排泄部に対向配置される部位（排泄部対向部）と略同位置にあるところ、その排泄部対向部は通常、縦方向Ｘの中央即ち縦中心線ＣＬｘ上か、又は縦中心線ＣＬｘよりもやや縦方向Ｘの前側に偏倚した位置にある。また、後方第１領域２４３の縦方向Ｘの後端（後方第１領域２４３と後方第２領域２４４との境界）は、着用者のお尻の割れ目（臀裂）の前側寄りの部位と略同位置にある。後方第１領域２４３の縦方向Ｘに沿う両側縁２４３Ｌ，２４３Ｌは、それぞれ図５に示す如き平面視において、縦方向Ｘ及び横方向Ｙの両方向に交差する方向に延びており、最幅狭部２４０と後方第１領域２４３（コア後方部２４２）との境界から、横方向Ｙの外方且つ縦方向Ｘの後方に向かって斜めに延びている。
【００３２】
後方第２領域２４４は、図５に示すように、その前側に位置する後方第１領域２４３に比して、縦方向Ｘにおける横方向Ｙの長さの変化が少ない。おむつ１においては、後方第２領域２４４の横方向Ｙの長さは一定であり、該横方向Ｙの長さは縦方向Ｘにおいて変化しない。つまり、後方第２領域２４４の縦方向Ｘに沿う両側縁２４４Ｌ，２４４Ｌは、それぞれ、縦方向Ｘに平行である。但し、後方第２領域２４４は、後方第１領域２４３との比較において、横方向Ｙの長さ即ち幅の変化が少なければ良く、その条件が満たされていれば、後方第２領域２４４の幅は縦方向Ｘにおいて変化しても良く、即ち、後方第２領域２４４の側縁２４４Ｌは平面視において、縦方向Ｘ及び横方向Ｙの両方向に交差する方向に延びる直線でも良く、あるいは曲線でも良い。後方第２領域２４４は、後方第１領域２４３に比して、縦方向Ｘの長さが長い。
【００３３】
図２及び図５に示すように、吸収性コア２４には、吸収性コア２４の形成材料が存在していないか又は周辺部に比して該形成材料が少ない非又は低堆積部４０を有する、低目付領域４が複数形成されている。非堆積部４０は、吸収性コア２４の形成材料が存在していない領域であり、低堆積部４０は、吸収性コア２４の形成材料が該吸収性コア２４の周辺部に比して少ない領域である。本発明に係る吸収性コアは、非堆積部及び低堆積部の何れを有していても良く、本明細書ではこれらを総称して「非又は低堆積部」と表記している。おむつ１においては図示の通り、吸収性コア２４に４個の低目付領域４が形成されており、その複数の低目付領域４は、縦方向Ｘに所定間隔を置いて間欠的に配されている。複数の低目付領域４は、それぞれ図５に示す如き平面視において、吸収性コア２４の横方向Ｙの中央部から横方向Ｙの両外方且つ縦方向Ｘの前方に向かって斜めに延びる部分を有している。複数の低目付領域４の平面視における形状及び寸法は互いに同一である。複数の低目付領域４は、横中心線ＣＬｙを基準として一方側と他方側とで対称に形成されている。
【００３４】
おむつ１においては、複数の低目付領域４は、それぞれ図５に示すように、非又は低堆積部４０を１個のみ有し、その１個の非又は低堆積部４０が当該低目付領域４の横方向Ｙの一端から他端にわたって連続している。より具体的には、複数の低目付領域４はそれぞれ、その構成要素たる１個の非又は低堆積部４０が横方向Ｙへ長手方向を有するように延びて形成されており、且つ図５に示す如き平面視において、低目付領域４即ち１個の非又は低堆積部４０の横方向Ｙの中央４ａが、横方向Ｙの両端４ｂ，４ｂよりも縦方向Ｘの後側に位置する平面視形状を有しており、より好ましくは、吸収性コア２４の縦方向Ｘの後端２４ｂに向かって凸に湾曲した平面視形状を有している。
【００３５】
尚、本発明においては、１個の低目付領域には、非又は低堆積部が１個以上存在すれば良く、後述する図８（ａ）〜図８（ｃ）に示すように、１個の低目付領域に複数の非又は低堆積部が横方向Ｙに間欠的に並んで存在していても良い。複数の非又は低堆積部が、横中心線ＣＬｙを基準として一方側と他方側とで対称に形成されている場合、その対称関係をなす複数の非又は低堆積部の全部とそれらの間隔（非又は低堆積部が形成されていない部分）とを含む、１個の連続した領域のうち、面積が最小の領域が、低目付領域である。例えば図８（ｂ）に示す形態においては、２個の平面視長方形形状の非又は低堆積部４０Ｃが横中心線ＣＬｙを基準として左右対称に形成されているところ、この２個の非又は低堆積部４０Ｃと両者の間隔とを含めた、平面視Ｖ字状の連続した１個の領域が、低目付領域４Ｃである。図８（ｂ）に示す形態においては、このような平面視Ｖ字状の低目付領域４Ｃが４個形成されている。図８（ａ）〜図８（ｃ）中、点線で囲まれた、複数の非又は低堆積部を含む領域が、１個の低目付領域である。
【００３６】
吸収性コア２４の主たる特徴の１つとして、下記１）〜５）が一体的に採用されている点が挙げられる。吸収性コア２４は斯かる特徴により、おむつ１の着用状態において、縦中心線ＣＬｘ又はその近傍より縦方向Ｘの後側に位置する部分が図６に示す如く変形する。具体的には吸収性コア２４において、後方第１領域２４３、場合によってはこれに加えてさらに最幅狭部２４０における後方第１領域２４３寄りの部分が、横中心線ＣＬｙを折曲線として非肌対向面を内側にして山折りに変形、即ち横方向Ｙに沿う断面視において逆Ｖ字状に変形して、肌対向面に向けて凸となる隆起部２４５が形成され、その隆起部２４５が着用者の臀裂にフィットすると共に、後方第２領域２４４が、着用者の臀部の曲面形状に沿うように、着用者の肌側に向けて凹の凹状に変形して臀部に密着する。また、吸収性コア２４がこのように変形することによって、特にコア後方部２４２にフィット性を阻害し得る皺が形成されることが懸念されるが、その懸念は、剛性が低く変形しやすい低目付領域４の存在によって払拭されている。従っておむつ１は、特に着用者の臀部に対応する部分が、皺の発生を抑制しつつ、臀部の外形形状に適合するように変形して着用者の肌に密着し得るため、臀部に対するフィット性に優れている。
【００３７】
１）おむつ１の縦方向中央即ち縦中心線ＣＬｘよりも縦方向Ｘの後側の領域において、縦方向Ｘの前側から後側に向かうに従って横方向Ｙの長さが漸次増加する後方第１領域２４３を有する。
２）後方第１領域２４３の縦方向Ｘの後端に連接され、該後方第１領域２４３に比して縦方向Ｘにおける横方向Ｙの長さの変化が少ない後方第２領域２４４を有する。
３）吸収性コア２４（コア後方部２４２）に、横方向Ｙに延びる低目付領域４が複数形成されている。
４）後方第１領域２４３に複数の低目付領域４の少なくとも一部が存在している。
５）低目付領域４は、平面視において、吸収性コア２４の横方向Ｙの中央部から横方向Ｙの両外方且つ縦方向Ｘの前方に向かって斜めに延びる部分を有している。
【００３８】
おむつ１の着用時において、着用者の身体の動きに起因する外力、例えばおむつ１が着用者の一対の大腿部によって挟まれることによる横方向Ｙからの圧縮力が、吸収性コア２４に作用した場合に、その外力の作用に応じて吸収性コア２４に生じる応力（変形力）は、前記１）及び２）の採用により、後方第１領域２４３に集中し、後方第１領域２４３以外の他の部分では緩和される。また、その変形力が集中しやすい後方第１領域２４３には、前記４）の採用により、吸収性コア２４の他の部分に比して低剛性で変形容易な低目付領域４が存在し、その低目付領域４に着用者の臀裂に沿う変形力が作用しやすくなっている。そのため、おむつ１の着用時においては、図６に示す如き、後方第１領域２４３の山折り変形が容易に起こり、しかもその変形の際には、フィット性を低下させ得る不要な皺が生じにくい。
【００３９】
また、おむつ１の臀部に対するフィット性を高めるためには、吸収性コア２４の後方第１領域２４３に隆起部２４５が形成されてそれが着用者の臀裂にフィットするだけでは足りず、臀部の大部分に対応する後方第２領域２４４が、臀部の曲面形状に沿うように、臀部に向けて凹の凹状に変形する必要がある。そして、そのためには後方第２領域２４４に対して、肌対向面を内側にして縦方向Ｘに折り曲げる縦変形力と、肌対向面を内側にして着用者の臀部に沿うように主として横方向Ｙに折り曲げる横変形力とが、適切な強さで作用する必要がある。この点、おむつ１においては、前記３）の採用により、コア後方部２４２に存する複数の低目付領域４が何れも横方向Ｙに延びているため、前記縦変形力が、前記の凹状の変形が可能な程度に適度に抑制される。また前記５）の採用により、複数の低目付領域４が何れも、縦方向Ｘ及び横方向Ｙの両方向に対して傾斜した特定の平面視形状を有しているため、前記横変形力が促進される。従って、後方第２領域２４４は、臀部の曲面形状に沿って凹状に変形し、その結果、従来品では着用者の身体にフィットし難かった、吸収性コアの縦方向後端側の角部が位置する部分（図６中、符号２４ＲＣで示す部分）でさえも、着用者の臀部にフィットし得る。また、後方第２領域２４４は、後方第１領域２４３に比して、縦方向Ｘの長さが長くなっているので、臀部の曲面形状に沿うように変形しやすくなり、臀部に対するフィット性のさらなる向上に繋がる。
【００４０】
また、後方第１領域２４３が山折りに変形した場合に、これに追従して後方第２領域２４４も同様に山折りに変形してしまうと、臀部に対するフィット性が却って低下するおそれがある。この点、おむつ１においては、前記２）の採用により、後方第２領域２４４が、後方第１領域２４３に比して横方向Ｙの長さの変化が少なく構成されていることによって、山折りされ難い領域とされている。従って、斯かる山折りされ難い特性と、前述した縦変形力及び横変形力の適切な制御とが相俟って、後方第２領域２４４は臀部の曲面形状に沿うように凹状に変形しやすいものとなっている。
【００４１】
おむつ１においては、図５に示すように、後方第１領域２４３のみならず、後方第２領域２４４にも低目付領域４（非又は低堆積部４０）が存在している。そのため、前述した後方第２領域２４４の凹状の変形がより一層起こりやすく、臀部に対するフィット性のさらなる向上に繋がる。
【００４２】
また、おむつ１においては、図５に示すように、低目付領域４を構成する非又は低堆積部４０が横中心線ＣＬｙを跨いで横方向Ｙに延びている。そのため、主として前記縦変形力による吸収性コア２４の変形の際に発生し得る、吸収性コア２４の皺が、より一層低減され、臀部に対するフィット性のさらなる向上に繋がる。
【００４３】
また、おむつ１においては、図５に示すように、低目付領域４が非又は低堆積部４０を１個のみ有し、その１個の非又は低堆積部４０が当該低目付領域４の横方向Ｙの一端から他端にわたって連続している。そのため、吸収性コア２４のひねりによる横方向Ｙの歪みが緩和され、臀部に対するフィット性のさらなる向上に繋がる。
【００４４】
また、おむつ１においては、低目付領域４を構成する非又は低堆積部４０は、吸収性コア２４を厚み方向に貫通する貫通孔であり、吸収性コア２４の肌対向面及び非肌対向面それぞれにおける非又は低堆積部４０の形成位置には開口部が形成されている。即ちおむつ１における低目付領域４には、吸収性コア２４の形成材料が存在していない。そのため、吸収性コア２４の動きの自由度が高く、前述した変形が起こりやすいため、臀部に対するフィット性のさらなる向上に繋がる。
【００４５】
また、おむつ１においては、図５に示すように、複数の低目付領域４それぞれの横方向Ｙの両端４ｂ、４ｂは、吸収性コア２４において横方向Ｙの長さ即ち幅が最も短い最幅狭部２４０の横方向Ｙの両端（縦方向Ｘに沿う側縁）２４０Ｌ，２４０Ｌよりも横方向Ｙの外方に位置している。そのため、複数の低目付領域４が存するコア後方部２４２がより一層臀部に沿って変形しやすくなり、臀部に対するフィット性のさらなる向上に繋がる。
【００４６】
また、おむつ１においては、図５に示すように、複数の低目付領域４それぞれの横方向Ｙの両端部（低目付領域４の横方向端４ｂ及びその近傍）は、それぞれ平面視において先細り形状をなしている。そのため、コア後方部２４２が変形した際に、低目付領域４の横方向端４ｂの周辺部に皺が発生することが効果的に抑制され、臀部に対するフィット性のさらなる向上に繋がる。
【００４７】
また、おむつ１においては、吸収性コア２４は、図５に示す如き平面視において、最幅狭部２４０の前後に最幅狭部２４０よりも幅広のコア前方部２４１及びコア後方部２４２が連接された、砂時計状をなしている、即ち、縦方向Ｘの前側から、コア前方部２４１、最幅狭部２４０、後方第１領域２４３、後方第２領域２４４の順に配されているため、前述した低目付領域４の存在などの特徴的な構成と相俟って、吸収性とフィット性とが高いレベルで両立される。また図２に示すように、吸収性コア２４の最幅狭部２４０は、おむつ１の縦方向Ｘの中央（縦中心線ＣＬｘ）に位置して縦方向Ｘに所定の長さを有する領域であり、且つ最幅狭部２４０の縦方向に沿う両側縁は、それぞれ縦方向に平行であるため、最幅狭部２４０での変形が後方第２領域２４４での変形に比べて起こりにくくされており、そのため後方第２領域２４４は、最幅狭部２４０の変形の影響をあまり受けずに、臀部の曲面形状に沿うように凹状に変形しやすい。
【００４８】
おむつ１は特に、複数の低目付領域４それぞれの横方向Ｙの両端４ｂ，４ｂが、縦方向Ｘの中央即ち縦中心線ＣＬｘに位置する、最幅狭部２４０の両側縁２４０Ｌ，２４０Ｌよりも横方向Ｙの外方に位置している。そのため、最幅狭部２４０においては、図６に示すように隆起部２４５が形成され、その隆起部２４５が着用者の臀裂にフィットすると共に、複数の低目付領域４が存するコア後方部２４２がより一層臀部に沿って変形しやすくなり、臀部に対するフィット性のさらなる向上に繋がる。
【００４９】
本実施形態において、図２に示すように、後側レッグ弾性部材３４は、吸収性コア２４の縦方向Ｘに沿う両側部それぞれと交差するように配されている。より具体的には、後側レッグ弾性部材３４は、吸収性コア２４の後方第２領域２４４（図５参照）の縦方向Ｘに沿う両側部それぞれと交差するように配されている。即ち、後側レッグ弾性部材３４は、サイドシール部Ｓから吸収性コア２４の縦方向Ｘに沿う側縁に亘って延びている。斯かる構成により、後側レッグ弾性部材３４が背側部Ｃの縦方向Ｘの外方に向かって収縮する応力によって、コア後方部２４２を背側部Ｃの縦方向Ｘの外方へ引き上げ、コア後方部２４２の後端２４ｂ側の部分、即ち後方第２領域２４４を反り上がり易くさせることができ、臀部に対するフィット性のさらなる向上に繋がる。
【００５０】
前述した吸収性コア２４による作用効果をより一層確実に奏させるようにする観点から、吸収性コア２４の各部の寸法等は次のように設定することが好ましい。
吸収性コア２４の縦方向Ｘの全長に占める、後方第１領域２４３の縦方向Ｘの長さの割合は、好ましくは９％以上、さらに好ましくは１５％以上、そして、好ましくは３０％以下、さらに好ましくは２０％以下である。
後方第１領域２４３の縦方向Ｘの長さは、好ましくは５５ｍｍ以上、さらに好ましくは６５ｍｍ以上、そして、好ましくは９５ｍｍ以下、さらに好ましくは８５ｍｍ以下である。
吸収性コア２４の縦方向Ｘの全長に占める、後方第２領域２４４の縦方向Ｘの長さの割合は、好ましくは１０％以上、さらに好ましくは１５％以上、そして、好ましくは５５％以下、さらに好ましくは４５％以下である。
後方第２領域２４４の縦方向Ｘの長さは、好ましくは４０ｍｍ以上、さらに好ましくは６５ｍｍ以上、そして、好ましくは２００ｍｍ以下、さらに好ましくは１６０ｍｍ以下である。
最幅狭部２４０の横方向Ｙの長さ即ち幅は、好ましくは４０ｍｍ以上、さらに好ましくは８０ｍｍ以上である。
後方第２領域２４４の横方向Ｙの長さ即ち幅は、好ましくは６０ｍｍ以上、さらに好ましくは１２０ｍｍ以上、そして、好ましくは２００ｍｍ以下、さらに好ましくは１４０ｍｍ以下である。
【００５１】
吸収性コア２４の坪量（目付）は、好ましくは１００ｇ／ｍ２以上、さらに好ましくは２００ｇ／ｍ２以上、そして、好ましくは６００ｇ／ｍ２以下、さらに好ましくは４００ｇ／ｍ２以下である。
吸収性コア２４の無荷重下における厚みは、好ましくは１ｍｍ以上、さらに好ましくは３ｍｍ以上、そして、好ましくは１５ｍｍ以下、さらに好ましくは１０ｍｍ以下である。
【００５２】
低目付領域４の横方向Ｙの長さは、好ましくは２０ｍｍ以上、さらに好ましくは４０ｍｍ以上、そして、好ましくは１２０ｍｍ以下、さらに好ましくは１００ｍｍ以下である。
低目付領域４の幅、即ち低目付領域４の延びる方向と直交する方向の長さは、好ましくは１ｍｍ以上、さらに好ましくは３ｍｍ以上、そして、好ましくは５０ｍｍ以下、さらに好ましくは１０ｍｍ以下である。
おむつ１においては、１個の非又は低堆積部４０が当該低目付領域４の横方向Ｙの一端から他端にわたって連続しているので、前記の低目付領域４の各部の長さは、非又は低堆積部４０の各部の長さに等しい。
縦方向Ｘにおいて隣り合う２個の低目付領域４，４の間隔は、好ましくは２ｍｍ以上、さらに好ましくは１０ｍｍ以上、そして、好ましくは５０ｍｍ以下、さらに好ましくは２０ｍｍ以下である。
吸収性コア２４における低目付領域４の数は、好ましくは２個以上、さらに好ましくは４個以上、そして、好ましくは４０個以下、さらに好ましくは１５個以下である。
【００５３】
後方第１領域２４３の側縁２４３Ｌの横方向Ｙに対する角度、即ち後方第１領域２４３の傾斜角度θ１（図５参照）は、好ましくは３０°以上、さらに好ましくは６０°以上、そして、好ましくは９０°未満、さらに好ましくは８０°以下である。
後方第１領域２４３の側縁２４３Ｌ又はその延長線と低目付領域４の延長線とのなす角度θ２（図５参照）は、好ましくは３０°以上、さらに好ましくは６０°以上、そして、好ましくは１５０°以下、さらに好ましくは８０°以下である。
【００５４】
以下、本発明の他の実施形態について図７及び図８を参照して説明する。後述する他の実施形態については、前述したおむつ１（吸収性コア２４）と異なる構成部分を主として説明し、同様の構成部分は同一の符号を付して説明を省略する。特に説明しない構成部分は、おむつ１についての説明が適宜適用される。
【００５５】
図７に示す吸収性コア２４Ａにおいては、低目付領域４を構成する非又は低堆積部４０は、図７（ｂ）に示すように底部を有する凹部であり、吸収性コア２４Ａの肌対向面２４Ｓ１に開口部を有する低堆積部４０となっている。このような、貫通孔ではなく凹部からなる低堆積部４０の場合、その凹部の開口部は、図７（ｂ）に示す形態とは逆に、吸収性コア２４Ａの非肌対向面２４Ｓ２に形成されていても良いが、前述したコア後方部２４２の変形のしやすさを考慮すると、図７（ｂ）に示す形態のように、吸収性コア２４Ａの肌対向面２４Ｓ１に形成されていることが好ましい。非又は低堆積部４０として最も好ましいのは貫通孔である。
【００５６】
また、図７に示す吸収性コア２４Ａは、図５に示す吸収性コア２４に比して、コア前方部２４１の縦方向Ｘの長さが長い。そのため、おむつ１において吸収性コア２４に代えて吸収性コア２４Ａを適用した場合、そのおむつ１における吸収性コア２４Ａは、股下部Ｂから腹側部Ａにわたって延在し、該吸収性コア２４Ａの縦方向Ｘの前端２４ａは、サイドシール部Ｓの下端Ｓｂ（図１及び図２参照）よりも上方即ち縦方向Ｘの外方に位置することになる。
【００５７】
図８には、本発明で採り得る低目付領域のパターンが例示されている。
図８（ａ）に示す形態においては、コア後方部２４２に、非又は低堆積部４０Ａを１個のみ有する低目付領域４Ａ（第１の低目付領域）と、複数（２個）の非又は低堆積部４０Ｂを有する低目付領域４Ｂ（第２の低目付領域）とが混在している。低目付領域４Ａは、コア後方部２４２の最後方位置に１個配され、低目付領域４Ｂは、低目付領域４Ａよりも縦方向Ｘの前側に３個配されている。また、３個の低目付領域４Ｂは、当該低目付領域４Ｂを構成する複数の非又は低堆積部４０Ｂ，４０Ｂどうしの間隔が互いに異なっており、具体的には、縦方向Ｘの中央に位置する低目付領域４Ｂにおける該間隔は、他の低目付領域４Ｂにおける該間隔に比して短い。また、非又は低堆積部４０Ａは平面視において、吸収性コアの後端２４ｂに向かって凸に湾曲した平面視形状をなし、非又は低堆積部４０Ｂは平面視において長方形形状をなしており、従って低目付領域４Ａ及び４Ｂは何れも、その幅即ち当該低目付領域の延びる方向と直交する方向の長さが一定であり、図５に示す低目付領域４のような先細り形状ではない。しかしながら、コア後方部２４２の変形に起因する皺の発生の抑制の観点からは、低目付領域の平面視形状は、図５に示す如き先細り形状が好ましいことは前述した通りである。
【００５８】
図８（ｂ）に示す形態においては、コア後方部２４２に形成された低目付領域４Ｃは何れも、複数（２個）の平面視長方形形状の非又は低堆積部４０Ｃを有し、且つ平面視において幅が一定で先細り形状ではない。
図８（ｃ）に示す形態においては、コア後方部２４２に形成された低目付領域４Ｄは何れも、複数（８個）の平面視正方形形状ないし四角形形状の非又は低堆積部４０Ｄを有し、且つ平面視において幅が一定で先細り形状ではない。
図８（ｂ）に示す形態においては、横中心線ＣＬｙを跨いで横方向Ｙに延びる非又は低堆積部４０Ｃが存在せず、また図８（ｃ）に示す形態においても、横中心線ＣＬｙを跨いで横方向Ｙに延びる非又は低堆積部４０Ｄが存在していない。これに対し、図５に示す形態においては、複数（４個）の非又は低堆積部４０の全部が横中心線ＣＬｙを跨いで横方向Ｙに延びており、また図８（ａ）に示す形態においても、１個の非又は低堆積部４０Ａが横中心線ＣＬｙを跨いで横方向Ｙに延びており、斯かる構成の違いに起因して、図５及び図８（ａ）に示す形態の方が、吸収性コアにおける皺の発生を効果的に防止し得る。
【００５９】
図８（ｄ）に示す形態は、低目付領域４Ｅ（非又は低堆積部４０Ｅ）の平面視形状が先細り形状ではない点で、図５に示す形態と異なる。
図８（ｅ）に示す形態は、複数（４個）の低目付領域４Ｆ（非又は低堆積部４０Ｆ）の平面視における形状及び／又は寸法が互いに異なる点で、図５に示す形態と異なっており、具体的には、吸収性コアの後端２４ｂからの距離が近いものほど、横方向Ｙの長さが長い。
図８（ｆ）に示す形態は、低目付領域４Ｇ（非又は低堆積部４０Ｇ）の平面視形状が先細り形状ではない点に加えてさらに、横中心線ＣＬｙを跨ぐ部分が湾曲せずに屈曲している点でも、図５に示す形態と異なる。
【００６０】
以上、本発明の実施形態について説明したが、本発明は前記実施形態に制限されず、適宜変更可能である。例えば低目付領域は、少なくとも後方第１領域に存在していれば良く、複数の低目付領域の全部が後方第１領域に存在していても良い。また、貫通孔からなる非堆積部と、図７（ｂ）に示す如き凹部からなる低堆積部とが混在していても良い。前述した一の実施形態のみが有する部分は、すべて適宜相互に利用できる。前述した本発明の実施形態に関し、更に以下の付記を開示する。
【００６１】
＜１＞
着用者の前後方向に対応する縦方向及びこれに直交する横方向を有すると共に、着用者の股間部に配される股下部並びに該股下部の前後から縦方向に延出する腹側部及び背側部を有し、液保持性を有する吸収性コアが該股下部に配されている吸収性物品であって、
前記吸収性コアは、前記吸収性物品の縦方向中央よりも縦方向後側の領域において、縦方向前側から後側に向かうに従って横方向長さが漸次増加する後方第１領域を有すると共に、該後方第１領域の縦方向後端に連接され、該後方第１領域に比して縦方向における横方向長さの変化が少ない後方第２領域を有し、
前記吸収性コアに、該吸収性コアの形成材料が存在していないか又は周辺部に比して該形成材料が少ない非又は低堆積部を有する、低目付領域が複数形成され、それら複数の低目付領域は、それぞれ平面視において、該吸収性コアの横方向中央部から横方向の両外方且つ縦方向前方に向かって斜めに延びる部分を有し、
前記後方第１領域に複数の前記低目付領域の少なくとも一部が存在している吸収性物品。
【００６２】
＜２＞
前記後方第２領域に前記低目付領域が存在している前記＜１＞に記載の吸収性物品。
＜３＞
複数の前記低目付領域のうちの少なくとも１個は、前記非又は低堆積部が、前記吸収性コアを横方向に二分して縦方向に延びる横中心線を跨いで横方向に延びている前記＜１＞又は＜２＞に記載の吸収性物品。
＜４＞
前記非又は低堆積部における前記横中心線を跨ぐ部分が湾曲せずに屈曲している前記＜３＞に記載の吸収性物品。
＜５＞
複数の前記低目付領域のうちの少なくとも１個は、１個の前記非又は低堆積部が該低目付領域の横方向一端から他端にわたって連続している前記＜１＞〜＜４＞の何れか１項に記載の吸収性物品。
＜６＞
前記非又は低堆積部は、前記吸収性コアを厚み方向に貫通する貫通孔である前記＜１＞〜＜５＞の何れか１項に記載の吸収性物品。
【００６３】
＜７＞
前記低目付領域の横方向両端部は、それぞれ平面視において先細り形状をなしている前記＜１＞〜＜６＞の何れか１項に記載の吸収性物品。
＜８＞
前記後方第１領域及び前記後方第２領域に、前記低目付領域として、前記非又は低堆積部を１個のみ有する第１の低目付領域と、該非又は低堆積部を複数有する第２の低目付領域とが混在し、該第１の低目付領域が、前記コア後方部の最後方位置に１個配され、該第２の低目付領域が、該第１の低目付領域よりも縦方向前側に配されている前記＜１＞〜＜６＞の何れか１項に記載の吸収性物品。
＜９＞
前記後方第１領域及び前記後方第２領域に前記低目付領域が複数形成され、その複数の低目付領域は、それぞれ、平面視長方形形状の前記非又は低堆積部を複数有し、且つ平面視において幅が一定で先細り形状ではない前記＜１＞〜＜６＞の何れか１項に記載の吸収性物品。
＜１０＞
前記後方第１領域及び前記後方第２領域に前記低目付領域が複数形成され、その複数の低目付領域は、それぞれ、幅即ち該低目付領域の延びる方向と直交する方向の長さが一定であり、平面視において先細り形状をなしていない前記＜１＞〜＜６＞の何れか１項に記載の吸収性物品。
【００６４】
＜１１＞
前記後方第１領域及び前記後方第２領域に前記低目付領域が複数形成され、その複数の低目付領域は、平面視における形状及び／又は寸法が互いに異なっている前記＜１＞〜＜１０＞の何れか１項に記載の吸収性物品。
＜１２＞
前記低目付領域の横方向両端は、前記吸収性コアにおいて横方向長さが最も短い最幅狭部の横方向両端よりも横方向外方に位置している前記＜１＞〜＜１１＞の何れか１項に記載の吸収性物品。
＜１２＞
前記吸収性コアは、平面視において、横方向長さが最も短い最幅狭部と、該最幅狭の縦方向前端に連接され、該最幅狭部よりも横方向長さが長いコア前方部とを有し、縦方向の前側から、前記コア前方部、前記最幅狭部、前記後方第１領域、前記後方第２領域の順で縦方向に配されている前記＜１＞〜＜１１＞の何れか１項に記載の吸収性物品。
＜１３＞
前記最幅狭部の横方向長さは、好ましくは４０ｍｍ以上、さらに好ましくは８０ｍｍ以上である前記＜１２＞に記載の吸収性物品。
＜１４＞
前記最幅狭部は、前記吸収性物品の縦方向中央に位置して縦方向に所定の長さを有する領域であり、該最幅狭部の縦方向に沿う両側縁は、それぞれ縦方向に平行である前記＜１２＞又は＜１３＞に記載の吸収性物品。
＜１５＞
前記低目付領域の横方向両端は、前記最幅狭部の縦方向に沿う側縁よりも横方向外方に位置している前記＜１４＞に記載の吸収性物品。
【００６５】
＜１６＞
前記吸収性コアの外面を被覆するコアラップシートを有する吸収性本体と、該吸収性本体よりも着用者の身体から遠い側に配された外装体とを備える前記＜１＞〜＜１５＞の何れか１項に記載の吸収性物品。
＜１７＞
前記吸収性物品は、前記腹側部及び前記背側部それぞれにおける前記外装体の縦方向に沿う両側縁部どうしが接合されて一対のサイドシール部、ウエスト開口部及び一対のレッグ開口部が形成されているパンツ型吸収性物品である前記＜１６＞に記載の吸収性物品。
＜１８＞
前記吸収性コアの縦方向の前端及び後端はそれぞれ、前記サイドシール部の下端と縦方向において同位置か、又は該下端よりも縦方向内方に位置している前記＜１７＞に記載の吸収性物品。
＜１９＞
前記コアラップシートは、前記吸収性コアよりも縦方向長さが長く、該吸収性コアの縦方向の前後端それぞれから縦方向外方に延出し、前記腹側部及び前記背側部にも配されている前記＜１６＞〜＜１８＞の何れか１項に記載の吸収性物品。
【００６６】
＜２０＞
前記後方第１領域は、前記吸収性コアにおいて、着用者の排泄部から臀部にかけての部位に対応する位置に配されている前記＜１＞〜＜１９＞の何れか１項に記載の吸収性物品。
＜２１＞
前記後方第２領域の横方向長さは一定である前記＜１＞〜＜２０＞の何れか１項に記載の吸収性物品。
＜２２＞
前記後方第２領域は、前記後方第１領域に比して縦方向長さが長い前記＜１＞〜＜２１＞の何れか１項に記載の吸収性物品。
＜２３＞
前記低目付領域は、前記吸収性コアの縦方向後端に向かって凸に湾曲した平面視形状を有している前記＜１＞〜＜２２＞の何れか１項に記載の吸収性物品。
【００６７】
＜２４＞
前記吸収性コアの縦方向の全長に占める、前記後方第１領域の縦方向長さの割合は、好ましくは９％以上、さらに好ましくは１５％以上、そして、好ましくは３０％以下、さらに好ましくは２０％以下である前記＜１＞〜＜２３＞の何れか１項に記載の吸収性物品。
＜２５＞
前記後方第１領域の縦方向長さは、好ましくは５５ｍｍ以上、さらに好ましくは６５ｍｍ以上、そして、好ましくは９５ｍｍ以下、さらに好ましくは８５ｍｍ以下である前記＜１＞〜＜２４＞の何れか１項に記載の吸収性物品。
＜２６＞
前記吸収性コアの縦方向の全長に占める、前記後方第２領域の縦方向長さの割合は、好ましくは１０％以上、さらに好ましくは１５％以上、そして、好ましくは５５％以下、さらに好ましくは４５％以下である前記＜１＞〜＜２５＞の何れか１項に記載の吸収性物品。
＜２７＞
前記後方第２領域の縦方向長さは、好ましくは４０ｍｍ以上、さらに好ましくは６５ｍｍ以上、そして、好ましくは２００ｍｍ以下、さらに好ましくは１６０ｍｍ以下である前記＜１＞〜＜２６＞の何れか１項に記載の吸収性物品。
＜２８＞
前記後方第２領域の横方向長さは、好ましくは６０ｍｍ以上、さらに好ましくは１２０ｍｍ以上、そして、好ましくは２００ｍｍ以下、さらに好ましくは１４０ｍｍ以下である前記＜１＞〜＜２７＞の何れか１項に記載の吸収性物品。
＜２９＞
前記吸収性コアの坪量は、好ましくは１００ｇ／ｍ２以上、さらに好ましくは２００ｇ／ｍ２以上、そして、好ましくは６００ｇ／ｍ２以下、さらに好ましくは４００ｇ／ｍ２以下である前記＜１＞〜＜２８＞の何れか１項に記載の吸収性物品。
＜３０＞
前記吸収性コアの無荷重下における厚みは、好ましくは１ｍｍ以上、さらに好ましくは３ｍｍ以上、そして、好ましくは１５ｍｍ以下、さらに好ましくは１０ｍｍ以下である前記＜１＞〜＜２９＞の何れか１項に記載の吸収性物品。
【００６８】
＜３１＞
前記低目付領域の横方向長さは、好ましくは２０ｍｍ以上、さらに好ましくは４０ｍｍ以上、そして、好ましくは１２０ｍｍ以下、さらに好ましくは１００ｍｍ以下である前記＜１＞〜＜３０＞の何れか１項に記載の吸収性物品。
＜３２＞
前記低目付領域の幅、即ち前記低目付領域の延びる方向と直交する方向の長さは、好ましくは１ｍｍ以上、さらに好ましくは３ｍｍ以上、そして、好ましくは５０ｍｍ以下、さらに好ましくは１０ｍｍ以下である前記＜１＞〜＜３１＞の何れか１項に記載の吸収性物品。
＜３３＞
縦方向において隣り合う２個の前記低目付領域どうしの間隔は、好ましくは２ｍｍ以上、さらに好ましくは１０ｍｍ以上、そして、好ましくは５０ｍｍ以下、さらに好ましくは２０ｍｍ以下である前記＜１＞〜＜３２＞の何れか１項に記載の吸収性物品。
＜３４＞
前記吸収性コアにおける前記低目付領域の数は、好ましくは２個以上、さらに好ましくは４個以上、そして、好ましくは４０個以下、さらに好ましくは１５個以下である前記＜１＞〜＜３３＞の何れか１項に記載の吸収性物品。
＜３５＞
前記後方第１領域の縦方向に沿う側縁の横方向に対する角度、即ち前記後方第１領域の傾斜角度は、好ましくは３０°以上、さらに好ましくは６０°以上、そして、好ましくは９０°未満、さらに好ましくは８０°以下である前記＜１＞〜＜３４＞の何れか１項に記載の吸収性物品。
＜３６＞
前記後方第１領域の縦方向に沿う側縁又はその延長線と前記低目付領域４の延長線とのなす角度は、好ましくは３０°以上、さらに好ましくは６０°以上、そして、好ましくは１５０°以下、さらに好ましくは８０°以下である前記＜１＞〜＜３５＞の何れか１項に記載の吸収性物品。
【符号の説明】
【００６９】
１  パンツ型使い捨ておむつ（吸収性物品）
２  吸収性本体
２１  表面シート
２２  裏面シート
２３  吸収体
２４，２４Ａ  吸収性コア
２４０  最幅狭部
２４１  コア前方部
２４２  コア後方部
２４３  後方第１領域
２４４  後方第２領域
２４５  隆起部
２５  コアラップシート
３  外装体
３１  外層シート
３２  内層シート
４，４Ａ〜４Ｇ  低目付領域
４０，４０Ａ〜４０Ｇ  非又は低堆積部
Ａ  腹側部
Ｂ  股下部
Ｃ  背側部
Ｓ  サイドシール部
Ｘ  縦方向
Ｙ  横方向
【図１】
2018082852.tif 000003
【図２】
2018082852.tif 000004
【図３】
2018082852.tif 000005
【図４】
2018082852.tif 000006
【図５】
2018082852.tif 000007
【図６】
2018082852.tif 000008
【図７】
2018082852.tif 000009
【図８】
2018082852.tif 000010